(57)【要約】      （修正有）【課題】応力集中を生じさせることなく、側圧の影響に基づく光伝送損失の変動を正確に計測することができる光ファイバの側圧試験方法及びその試験装置を提供する。【解決手段】光ファイバの一方の端部に光源１２を、他端部に光伝送損失測定器１４を連結し、光ファイバに側圧荷重を加えて光伝送損失の変動を測定する光ファイバの側圧試験方法であって、エッジ部の光ファイバとなす角度φが、３０°≦φ≦６０°である側圧板１５により光ファイバ１０に垂直力Ｆを付与して行う試験方法。【選択図】図１
2004226327.tif 000002
【特許請求の範囲】
【請求項１】
光ファイバの一方の端部に光源を、他端部に光伝送損失測定器を連結し、光ファイバに側圧荷重を加えて光伝送損失の変動を測定する光ファイバの側圧試験方法であって、エッジ部の光ファイバとなす角度φが、３０°≦φ≦６０°である側圧板により光ファイバに垂直力を付与して試験を行う光ファイバの側圧試験方法。
【請求項２】
光ファイバを中間部で折り返して光ファイバのそれぞれの端部に連結した光源と光伝送損失測定器を同一側に配した光ファイバの側圧試験装置であって、前記折り返し中間部と光源間の光ファイバ、及び前記折り返し中間部と光伝送損失測定器間の光ファイバの双方の下部に基台板を敷き、上部に垂直力を付与する側圧板を備え、前記側圧板はそのエッジ部の光ファイバとなす角度φが、３０°≦φ≦６０°である光ファイバの側圧試験装置。
【請求項３】
前記基台板のエッジ部の光ファイバとなす角度φが、３０°≦φ≦６０°である請求項２記載の光ファイバの側圧試験装置。
【発明の詳細な説明】
【０００１】
【産業上の利用分野】
この発明は、光ファイバの一方の端部に光源を、他端部に光伝送損失測定器を連結し、光ファイバに側圧荷重を加えて光伝送損失の変動を測定する光ファイバの側圧試験方法及びその試験装置に関する。
【０００２】
【従来の技術】
近年、光ファイバに側圧を加え、光伝送損失の変動を測定する光ファイバの側圧試験方法及びそのための装置が開発されている。図６は特許文献１に記載の従来の光ファイバの側圧試験装置の概略図であって、光ファイバ１の一端部にＬＥＤ光源３、他端部に光伝送損失測定器（以下単にパワーメータという）４を連結し、この光ファイバ１を伸張したところに上から側圧板５により垂直荷重を付加して、側圧による光伝送損失を計測するものである。
【０００３】
【特許文献１】
特開平９−５４０１５号公報（段落０００２、図９）
【０００４】
【発明が解決しようとする課題】
しかしながら、上述した従来の光ファイバの側圧試験方法及びそのための装置は、側圧板５のエッジ部５Ａが光ファイバ１に対して略垂直になっており、エッジ部５Ａのところで応力集中が生じ、光ファイバに急激な曲がりが生じてしまい、側圧の影響だけでなく急激な曲がりによる光伝送損失をも計測してしまうことになり、正確な側圧試験が実現されなかった。
【０００５】
光ファイバを中間部で折り返して光ファイバのそれぞれの端部に連結した光源と光伝送損失測定器を同一側に配し、折り返し中間部と光源間の光ファイバと折り返し中間部と光伝送損失測定器間の光ファイバの双方に側圧板を用いて垂直力を付与する計測方法もあるが、側圧板によって押圧される双方の光ファイバの平行度が光伝送損失の計測に影響を与え、同様に正確な側圧試験が実現されなかった。
【０００６】
本発明はこのような事情に鑑みてなされたもので、その目的とするところは、応力集中を生じさせることなく、側圧の影響に基づく光伝送損失の変動を正確に計測することができる光ファイバの側圧試験方法及びその試験装置を提供することにある。
【０００７】
【課題を解決するための手段】
上記課題を解決するために、本発明の光ファイバの側圧試験方法は、光ファイバの一方の端部に光源を、他端部に光伝送損失測定器を連結し、光ファイバに側圧荷重を加えて光伝送損失の変動を測定する光ファイバの側圧試験方法であって、エッジ部の光ファイバとなす角度φが、３０°≦φ≦６０°である側圧板により光ファイバに垂直力を付与して試験を行うことにある。
このようにすることにより、光ファイバに応力集中が起こらず、側圧の影響に基づく光伝送損失の変動を正確に計測することができる。
【０００８】
本発明の光ファイバの側圧試験装置は、光ファイバを中間部で折り返して光ファイバのそれぞれの端部に連結した光源と光伝送損失測定器を同一側に配した光ファイバの側圧試験装置であって、前記折り返し中間部と光源間の光ファイバ、及び前記折り返し中間部と光伝送損失測定器間の光ファイバの双方の下部に基台板を敷き、上部に垂直力を付与する側圧板を備え、前記側圧板はそのエッジ部の光ファイバとなす角度φが、３０°≦φ≦６０°である。
このようにすることにより、側圧板が２つの光ファイバ双方に垂直力を付与するので１本の場合よりも均一に力を加えることができ、しかも光ファイバに応力集中を生じさせることなく、且つ２本の光ファイバの平行度にも影響されずに光伝送損失の変動を正確に計測することができる。
【０００９】
本発明の光ファイバの側圧試験装置は、前記基台板のエッジ部の光ファイバとなす角度φが、３０°≦φ≦６０°である。
このようにすることにより、光ファイバの急激な曲がりによる光伝送損失が更に低下し、光伝送損失の変動をより正確に計測することができる。
【００１０】
【実施例】
図１は本発明の光ファイバの側圧試験装置の概略図、図２は光源、パワーメ−タを除く図１の側面図、図３は図２の部分拡大図、図４は側圧試験を説明するための試験装置の部分平面図であって、以下、本発明の側圧試験装置につき図１ないし図４に基づいて説明する。
【００１１】
図１において、１０は光ファイバ（通常の光ファイバ心線、光ファイバテープ心線を含む）であり、この光ファイバ１０は中間部１０Ａで折り返され、一端がＬＥＤ光源１２に、他端が光伝送損失測定器であるパワーメータ１４に連結され、折り返し中間部１０Ａと光源１２間の光ファイバ１０ａと折り返し中間部１０Ａとパワーメータ１４間の光ファイバ１０ｂの双方には、上部から垂直力を付与できる側圧板１５が配置されている。
【００１２】
図２に示すように、光ファイバ１０の下部には側圧板１５より若干大きい面積の固定の基台板１６が敷かれ、２本の光ファイバ１０ａ，１０ｂの上に側圧板１５を載せて、上部から垂直力Ｆを加えて光伝送損失を測定する。
【００１３】
図３に示すように、側圧板１５のエッジ部の光ファイバ１０となす角度φが、９０°より小さくすることで応力集中が抑えられることが判明している。そして角度φが９０°，６０°，４５°，３０°の４つの側圧板を用意し、光源の波長が１．５５μｍ用いて光伝送損失変動量を計測したところ、表１から表４に示す実験結果が得られた。
【００１４】
【表１】
2004226327.tif 000003
【００１５】
【表２】
2004226327.tif 000004
【００１６】
【表３】
2004226327.tif 000005
【００１７】
【表４】
2004226327.tif 000006
【００１８】
なお、側圧計測試験に用いた光ファイバは、光ファイバのガラス直径が０．１２５ｍｍ、一次被覆後の直径が０．１９０ｍｍ、二次被覆後の直径が０．２５０ｍｍのもので、側圧板の長さは１００ｍｍ（２００ｍｍの光ファイバが側圧を受けている）のものを使用し、側圧板にかける荷重を２０ｋｇｆとした。また、θは、図４に示すように、試験装置を平面視でみて側圧板１５と光ファイバ１０ａ（１０ｂ）のなす角度であり、θを９０°，８５°，８０°に変化させて光伝送損失変動量を計測した。
【００１９】
表１から判るように、エッジ角φが９０°即ち従来の側圧板のエッジ角では応力集中の影響で光伝送損失変動量が０．０５と大きく、しかもθの変動に伴って光伝送損失変動量が増大し、正確なデータを要する側圧試験装置としては適さないことがわかる。
【００２０】
一方、表２から表４に示すテスト結果では、エッジ角φが６０°，４５°，３０°のいずれも、光伝送損失変動量が０．０３と小さく、しかもθの変動に無関係であることが観測された。以上の結果から、エッジ角φを、３０°≦φ≦６０°とすることにより、光伝送損失変動量が小さく、側圧板と光ファイバのなす角θが光伝送損失変動量に影響を与えないことが判明した。
【００２１】
図５は本発明の他の実施形態を示す光ファイバの側圧試験装置の側断面図であり、光ファイバの急激な曲がりによる光伝送損失をより低下させたものである。先の実施形態における側圧試験装置との相違は、固定の基台板１８のエッジ部の光ファイバ２０となす角度φも、３０°≦φ≦６０°としたことである。
【００２２】
これにより光ファイバ２０は側圧荷重がかかったとき基台板１８からも側圧板２２からもそれらのエッジ部で応力集中を受けるが、前記したようにエッジ角φが共に３０°≦φ≦６０°であるので、光ファイバの急激な曲がりは生じない。
【００２３】
【発明の効果】
本発明によれば、次のような効果が得られる。
【００２４】
（ａ）請求項１記載の発明によれば、光ファイバに応力集中が起こらず、側圧の影響に基づく光伝送損失の変動を正確に計測することができる。
【００２５】
（ｂ）請求項２記載の発明によれば、側圧板が２つの光ファイバ双方に垂直力を付与するので１本の場合よりも均一に力を加えることができ、しかも光ファイバに応力集中を生じさせることなく、且つ２本の光ファイバの平行度にも影響されずに光伝送損失の変動を正確に計測することができる。
【００２６】
（ｃ）請求項３記載の発明によれば、光ファイバの急激な曲がりによる光伝送損失が更に低下し、光伝送損失の変動をより正確に計測することができる。
【図面の簡単な説明】
【図１】本発明の光ファイバの側圧試験装置の概略図である。
【図２】光源、パワーメータを除く図１の側面図である。
【図３】図２の部分拡大図である。
【図４】側圧試験を説明するための試験装置の部分平面図である。
【図５】本発明の他の実施形態を示す光ファイバの側圧試験装置の光源、パワーメータを除く側面図である。
【図６】従来の光ファイバの側圧試験装置の概略図である。
【符号の説明】
１０（１０ａ，１０ｂ）・・・光ファイバ（光ファイバ心線、テープ心線を含む）
１０Ａ・・・中間部
１２・・・光源
１４・・・光伝送損失測定器（パワーメータ）
１５、２２・・・側圧板
１６、１８・・・基台板
２０・・・光ファイバ
Ｆ・・・垂直力
φ・・・側圧板のエッジ部の光ファイバとなす角度
θ・・・試験装置を平面視でみて側圧板と光ファイバのなす角度
【図１】
2004226327.tif 000007
【図２】
2004226327.tif 000008
【図３】
2004226327.tif 000009
【図４】
2004226327.tif 000010
【図５】
2004226327.tif 000011
【図６】
2004226327.tif 000012